(57)【要約】【課題】送信側から送信されたデジタル音声データを、受信側において他のデジタル音声データに変換する際に、データの余剰や欠如の発生を防止してデジタル音声データのアナログ音声データへの変換を適切に行うことができ、音質に優れた音声の再生を実現することができる「音声再生装置」を提供すること。【解決手段】受信側装置１２が、音声の再生速度を、第１のデータ変換処理手段１４に所定時間ごとに入力される第１のデジタル音声データのデータ量と第１のデータ変換処理手段１４から所定時間ごとに出力される第１のデジタル音声データを変換した後の第２のデジタル音声データのデータ量との差分の発生を防止するような再生速度に制御するように形成されていること。【選択図】図１
2008051862.tif 000002
【特許請求の範囲】
【請求項１】
第１のデジタル音声データを送信する送信側装置と、
この送信側装置によって送信された前記第１のデジタル音声データを受信する受信側装置と
を備え、
前記受信側装置によって、前記第１のデジタル音声データを、第２のデジタル音声データおよびアナログ音声データに順次変換し、前記アナログ音声データを音声出力装置に送信することにより、前記音声出力装置を介した音声の再生を行う音声再生装置であって、
前記受信側装置が、
前記送信側装置から受信した前記第１のデジタル音声データが入力され、入力された前記第１のデジタル音声データを前記第２のデジタル音声データに変換する処理を行って、当該第２のデジタル音声データを出力する第１のデータ変換処理手段と、
この第１のデータ変換処理手段によって出力された前記第２のデジタル音声データを前記アナログ音声データに変換する処理を行う第２のデータ変換処理手段と
を有し、
音声の再生速度を、前記第１のデータ変換処理手段に所定時間ごとに入力される前記第１のデジタル音声データのデータ量と前記第１のデータ変換処理手段から前記所定時間ごとに出力される前記第２のデジタル音声データのデータ量との差分の発生を防止するような再生速度に制御するように形成されていること
を特徴とする音声再生装置。
【請求項２】
前記第１のデータ変換処理手段から出力される前記第２のデジタル音声データの出力レートを、前記差分の発生を防止するような出力レートに制御する出力レート制御手段を備え、
前記受信側装置が、前記出力レート制御手段による前記出力レートの制御によって、前記音声の再生速度の制御を行うように形成されていること
を特徴とする請求項１に記載の音声再生装置。
【請求項３】
第１のデジタル音声データを送信する送信側装置と、
この送信側装置によって送信された前記第１のデジタル音声データを受信する受信側装置と
を備え、
前記受信側装置によって、前記第１のデジタル音声データを、第２のデジタル音声データおよびアナログ音声データに順次変換し、前記アナログ音声データを音声出力装置に送信することにより、前記音声出力装置を介した音声の再生を行う音声再生装置であって、
前記受信側装置が、
前記送信側装置から受信した前記第１のデジタル音声データが入力され、入力された前記第１のデジタル音声データを前記第２のデジタル音声データに変換する処理を行って、当該第２のデジタル音声データを出力する第１のデータ変換処理手段と、
この第１のデータ変換処理手段によって出力された前記第２のデジタル音声データを前記アナログ音声データに変換する処理を行う第２のデータ変換処理手段と
を有し、
音声の再生速度を、前記第１のデータ変換処理手段に所定時間ごとに入力される前記第１のデジタル音声データのデータ量と前記第１のデータ変換処理手段から前記所定時間ごとに出力される前記第２のデジタル音声データのデータ量との差分を解消するような再生速度に制御するように形成されていること
を特徴とする音声再生装置。
【請求項４】
前記第２のデジタル音声データを前記アナログ音声データに変換する処理についての処理周波数を、前記差分を解消するような処理周波数に制御する処理周波数制御手段を備え、
前記受信側装置が、前記処理周波数制御手段による前記処理周波数の制御によって、前記音声の再生速度の制御を行うように形成されていること
を特徴とする請求項３に記載の音声再生装置。
【請求項５】
前記送信側装置が、携帯音楽プレイヤとされ、
前記第１のデジタル音声データが、前記携帯音楽プレイヤの専用のデジタル音声データとされ、
前記受信装置が、車載機とされ、
前記第２のデジタル音声データが、汎用のデジタル音声データとされていること
を特徴とする請求項１乃至請求項４のいずれか１項に記載の音声再生装置。
【発明の詳細な説明】
【技術分野】
【０００１】
本発明は、音声再生装置に係り、特に、送信側から送信される音声信号を受信側で受信して再生するのに好適な音声再生装置に関する。
【背景技術】
【０００２】
従来から、車載用のオーディオ機器等には、デジタル信号によって伝送されたデジタル音声データをスピーカで再生させる装置として、図１１に示すような音声再生装置１が採用されていた。
【０００３】
図１１に示すように、従来の音声再生装置１は、ｉＰＯＤ（商標）等の携帯音楽プレイヤ２と、この携帯音楽プレイヤ２にＵＳＢケーブル等の信号線を介して接続されたオーディオセンタユニット３と、このオーディオセンタユニット３に信号線を介して接続されたスピーカ５とによって構成されている。
【０００４】
携帯音楽プレイヤ２は、オーディオセンタユニット３に対して、携帯音楽プレイヤ２に専用のデジタル音声データ（シリアルストリームデータ）である専用デジタル音声データを、デジタル信号によって送信するようになっている。
【０００５】
オーディオセンタユニット３は、携帯音楽プレイヤ２によって送信された専用デジタル音声データを受信するようになっている。
【０００６】
オーディオセンタユニット３は、デジタルデータ変換処理部６を有しており、このデジタルデータ変換処理部６には、オーディオセンタユニット３が受信した専用デジタル音声データが入力されるようになっている。そして、デジタルデータ変換処理部６は、入力された専用デジタル音声データをＩ２ＳやＳＰＤＩＦ形式の汎用のデジタル音声データである汎用デジタル音声データに変換し、この変換によって生成された汎用デジタル音声データを出力するようになっている。
【０００７】
オーディオセンタユニット３は、デジタルデータ変換処理部６の出力側に、デジタル−アナログ変換処理部７を有しており、このデジタル−アナログ変換処理部７には、デジタルデータ変換処理部６から出力された汎用デジタル音声データが入力されるようになっている。そして、デジタル−アナログ変換処理部７は、入力された汎用デジタル音声データをアナログ音声データに変換し、この変換によって生成されたアナログ音声データを、アナログ信号によってスピーカ５に送信するようになっている。なお、デジタルデータ変換部６およびデジタル−アナログ変換部７は、実際には、ＣＰＵの機能として具現化されることがある。
【０００８】
スピーカ５は、デジタル−アナログ変換処理部７から送信されたアナログ音声データを音圧に変換して出力するようになっている。
【０００９】
このようにして、携帯音楽プレイヤ２から送信された音楽コンテンツ等の音声データが、車載機種側で再生されるようになっている。
【００１０】
ところで、このような音声再生装置１では、携帯音楽プレイヤ２に搭載されている図示しない発振器の性能と、オーディオセンタユニット３に搭載されている図示しない発振器の性能との間に、必ずといってよいほど差があった。
【００１１】
ここで、発振器は、データの送受信タイミングを決定する為に用いる同期信号の生成用として適用されるデバイスであり、音声データとともに該同期信号を送受信するシステム、すなわち、送信側の機器と受信側の機器との間で同一のクロック信号を共有するシステムにおいては、通例、送信側の機器にのみ搭載されるものである。
【００１２】
これに対し、音声データの伝送路に同期信号が含まれないシステム（送信側の機器と受信側の機器との間で同一のクロック信号を共有しないシステム）においては、受信側の機器にも送信側の機器と全く同じ特性の発振器を搭載する必要があり、これを以て送信されてきた音声データを適切に受信することができる。
【００１３】
しかし、製造ばらつき等により、送信側の機器と全く同じ特性の発振器が受信側の機器に搭載される確率は極めて低いのが実情であり、このことは、携帯音楽プレイヤ２とオーディオセンタユニット３についても同様である。
【００１４】
このように、携帯音楽プレイヤ２に搭載される発振器の性能（特性）と、オーディオセンタユニット３に搭載される発振器の性能との間に差がある場合には、オーディオセンタユニット３は、音声データを適切に受信することができなくなり、デジタル音声データをデータの欠如や余剰がなくアナログ音声データに変換することができなくなる。そして、このことは、スピーカ５によって再生される音声に、音切れ現象等の再生不良が発生する要因となる。
【００１５】
そこで、このようなクロック信号を共有するシステムを搭載しない音声再生装置１では、デジタルデータ変換処理部６において、汎用デジタル音声データに対するデータの部分的な削除または補完を行うことによって、デジタルデータ変換処理部６からデジタル−アナログ変換処理部７に送信される汎用デジタル音声データのデータ量を調整するようになっていた。
【００１６】
このようなデータの削除または補完が適切に行われた場合には、図１２（ａ）に示すように、デジタルデータ変換処理部６に所定時間ごとに入力される専用デジタル音声データのデータ量と、デジタルデータ変換処理部６から所定時間ごとに出力される汎用デジタル音声データのデータ量とが一致することになる。なお、図１２における専用デジタル音声データは、六角形状で表された複数個のパケット８によって一連のストリームを形成している。同様に、図１２における汎用デジタル音声データは、矩形状で表された複数個のパケット９によって一連のストリームを形成している。専用デジタル音声データにおける１個のパケット８のデータ量と、汎用デジタル音声データにおける１個のパケット９のデータ量とは、互いに等しくなっている。
【００１７】
【特許文献１】特開２００１−３２０３５１号公報
【発明の開示】
【発明が解決しようとする課題】
【００１８】
しかしながら、前述した汎用デジタル音声データに対するデータの削除が適切に行われずに、デジタルデータ変換処理部６から所定時間ごとに出力される汎用デジタル音声データのデータ量に対して、デジタルデータ変換処理部６に所定時間ごとに入力される専用デジタル音声データのデータ量が過多となる場合には、図１２（ｂ）に示すような専用デジタル音声データの余剰データが発生してしまっていた。これにより、デジタルデータ変換処理部６による処理の前にオーディオセンタユニット３にバッファリングされる専用デジタル音声データのデータ量が許容限度を超えてしまい、最終的にシステムが破綻するといった問題が生じていた。
【００１９】
一方、汎用デジタル音声データに対するデータの補完が適切に行われずに、デジタルデータ変換処理部６に所定時間ごとに入力される専用デジタル音声データのデータ量が不足する場合には、図１２（ｃ）に示すようにデータの欠如（図１２における欠如データ）が発生し、スピーカ５において音切れ現象が発生するといった問題が生じていた。
【００２０】
そこで、本発明は、このような問題点に鑑みなされたものであり、送信側から送信されたデジタル音声データを、受信側において他のデジタル音声データおよびアナログ音声データに順次変換する際に、データの余剰や欠如を未然に防止または事後的に解消してデジタル音声データのアナログ音声データへの変換を適切に行うことができ、音質の優れた音声の再生を実現することができる音声再生装置を提供することを目的とするものである。
【課題を解決するための手段】
【００２１】
前述した目的を達成するため、本発明に係る音声再生装置は、第１のデジタル音声データを送信する送信側装置と、この送信側装置によって送信された前記第１のデジタル音声データを受信する受信側装置とを備え、前記受信側装置によって、前記第１のデジタル音声データを、第２のデジタル音声データおよびアナログ音声データに順次変換し、前記アナログ音声データを音声出力装置に送信することにより、前記音声出力装置を介した音声の再生を行う音声再生装置であって、前記受信側装置が、前記送信側装置から受信した前記第１のデジタル音声データが入力され、入力された前記第１のデジタル音声データを前記第２のデジタル音声データに変換する処理を行って、当該第２のデジタル音声データを出力する第１のデータ変換処理手段と、この第１のデータ変換処理手段によって出力された前記第２のデジタル音声データを前記アナログ音声データに変換する処理を行う第２のデータ変換処理手段とを有し、音声の再生速度を、前記第１のデータ変換処理手段に所定時間ごとに入力される前記第１のデジタル音声データのデータ量と前記第１のデータ変換処理手段から前記所定時間ごとに出力される前記第２のデジタル音声データのデータ量との差分の発生を防止するような再生速度に制御するように形成されていることを特徴としている。
【００２２】
そして、このような構成によれば、音声の再生速度の制御により、第１のデータ変換処理手段に所定時間ごとに入力される第１のデジタル音声データのデータ量と第１のデータ変換処理手段から所定時間ごとに出力される第２のデジタル音声データのデータ量との差分の発生を防止することが可能となる。
【００２３】
また、本発明に係る他の音声再生装置は、前記第１のデータ変換処理手段から出力される前記第２のデジタル音声データの出力レートを、前記差分の発生を防止するような出力レートに制御する出力レート制御手段を備え、前記受信側装置が、前記出力レート制御手段による前記出力レートの制御によって、前記音声の再生速度の制御を行うように形成されていることを特徴としている。
【００２４】
そして、このような構成によれば、出力レート制御手段による出力レートの制御によって、前記差分の発生を防止するための音声の再生速度の制御を行うことが可能となる。
【００２５】
さらに、本発明に係る他の音声再生装置は、第１のデジタル音声データを送信する送信側装置と、この送信側装置によって送信された前記第１のデジタル音声データを受信する受信側装置とを備え、前記受信側装置によって、前記第１のデジタル音声データを、第２のデジタル音声データおよびアナログ音声データに順次変換し、前記アナログ音声データを音声出力装置に送信することにより、前記音声出力装置を介した音声の再生を行う音声再生装置であって、前記受信側装置が、前記送信側装置から受信した前記第１のデジタル音声データが入力され、入力された前記第１のデジタル音声データを前記第２のデジタル音声データに変換する処理を行って、当該第２のデジタル音声データを出力する第１のデータ変換処理手段と、この第１のデータ変換処理手段によって出力された前記第２のデジタル音声データを前記アナログ音声データに変換する処理を行う第２のデータ変換処理手段とを有し、音声の再生速度を、前記第１のデータ変換処理手段に所定時間ごとに入力される前記第１のデジタル音声データのデータ量と前記第１のデータ変換処理手段から前記所定時間ごとに出力される前記第２のデジタル音声データのデータ量との差分を解消するような再生速度に制御するように形成されていることを特徴としている。
【００２６】
そして、このような構成によれば、音声の再生速度の制御により、第１のデータ変換処理手段に所定時間ごとに入力される第１のデジタル音声データのデータ量と第１のデータ変換処理手段から所定時間ごとに出力される第２のデジタル音声データのデータ量との差分を解消することが可能となる。
【００２７】
さらにまた、本発明に係る他の音声再生装置は、前記第２のデジタル音声データを前記アナログ音声データに変換する処理についての処理周波数を、前記差分を解消するような処理周波数に制御する処理周波数制御手段を備え、前記受信側装置が、前記処理周波数制御手段による前記処理周波数の制御によって、前記音声の再生速度の制御を行うように形成されていることを特徴としている。
【００２８】
そして、このような構成によれば、処理周波数制御手段による処理周波数の制御によって、前記差分を解消するための音声の再生速度の制御を行うことが可能となる。
【００２９】
また、本発明に係る他の音声再生装置は、前記送信側装置が、携帯音楽プレイヤとされ、前記第１のデジタル音声データが、前記携帯音楽プレイヤの専用のデジタル音声データとされ、前記受信装置が、車載機とされ、前記第２のデジタル音声データが、汎用のデジタル音声データとされている点にある。
【００３０】
そして、このような構成によれば、第１のデータ変換処理手段に所定時間ごとに入力される携帯音楽プレイヤの専用のデジタル音声データと第１のデータ変換処理手段から所定時間ごとに出力される汎用のデジタル音声データとの差分の発生を防止すること、または、発生した当該差分を解消することが可能となる。
【発明の効果】
【００３１】
本発明に係る音声再生装置によれば、音声の再生速度の制御により、第１のデータ変換処理手段に所定時間ごとに入力される第１のデジタル音声データのデータ量と第１のデータ変換処理手段から所定時間ごとに出力される第２のデジタル音声データのデータ量との差分の発生を防止することができる結果、送信側から送信されたデジタル音声データを、受信側において他のデジタル音声データおよびアナログ音声データに順次変換する際に、デジタル音声データの余剰や欠如を未然に防止してデジタル音声データのアナログ音声データへの変換を適切に行うことができ、音質に優れた音声の再生を実現することができる。
【００３２】
また、本発明に係る他の音声再生装置によれば、出力レート制御手段による出力レートの制御によって、前記差分の発生を防止するための音声の再生速度の制御を行うことができる結果、データの余剰や欠如の発生をさらに簡便かつ確実に防止することができ、音質に優れた音声の再生をより安価に実現することができる。
【００３３】
さらに、本発明に係る他の音声再生装置によれば、音声の再生速度の制御により、第１のデータ変換処理手段に所定時間ごとに入力される第１のデジタル音声データのデータ量と第１のデータ変換処理手段から所定時間ごとに出力される第２のデジタル音声データのデータ量との差分を解消することができる結果、送信側から送信されたデジタル音声データを、受信側において他のデジタル音声データおよびアナログ音声データに順次変換する際に、デジタル音声データの余剰や欠如を事後的に解消してデジタル音声データのアナログ音声データへの変換を適切に行うことができ、音質に優れた音声の再生を実現することができる。
【００３４】
さらにまた、本発明に係る他の音声再生装置によれば、処理周波数制御手段による処理周波数の制御によって、前記差分を解消するための音声の再生速度の制御を行うことができる結果、データの余剰や欠如をさらに簡便かつ確実に解消することができ、音質に優れた音声の再生をより安価に実現することができる。
【００３５】
また、本発明に係る他の音声再生装置によれば、第１のデータ変換処理手段に所定時間ごとに入力される携帯音楽プレイヤの専用のデジタル音声データと第１のデータ変換処理手段から所定時間ごとに出力される汎用のデジタル音声データとの差分の発生を防止すること、または、発生した当該差分を解消することができる結果、携帯音楽プレイヤから車載機に送信された音声データの再生音質を向上させることができる。
【発明を実施するための最良の形態】
【００３６】
［第１実施形態］
以下、本発明に係る音声再生装置の第１実施形態について、図１乃至図８を参照して説明する。
【００３７】
なお、従来と基本的構成が同一もしくはこれに類する箇所については、同一の符号を用いて説明する。
【００３８】
図１に示すように、本実施形態における音声再生装置１１は、基本的な構成は従来と同様であり、送信側装置としての携帯音楽プレイヤ２と、この携帯音楽プレイヤ２に信号線を介して接続された受信側装置（車載機）としてのオーディオセンタユニット１２と、このオーディオセンタユニット１２に信号線を介して接続された音声出力装置としてのスピーカ５とによって構成されている。
【００３９】
携帯音楽プレイヤ２は、オーディオセンタユニット１２に対して、第１のデジタル音声データとしての専用デジタル音声データを、デジタル信号によって送信するようになっている。
【００４０】
オーディオセンタユニット１２は、携帯音楽プレイヤ２によって送信された専用デジタル音声データを受信するようになっている。
【００４１】
オーディオセンタユニット１２は、第１のデータ変換処理手段としてのデジタルデータ変換処理部１４を有しており、このデジタルデータ変換処理部１４には、オーディオセンタユニット１２が受信した専用デジタル音声データが入力されるようになっている。デジタルデータ変換処理部１４は、専用デジタル音声データが入力されると、この入力された専用デジタル音声データをＩ２ＳやＳＰＤＩＦ形式の汎用デジタル音声データに変換する専用−汎用変換処理を行って、汎用デジタル音声データを出力するようになっている。
【００４２】
オーディオセンタユニット１２は、デジタルデータ変換処理部１４の出力側に、第２のデータ変換処理手段としてのデジタル−アナログ変換処理部１５を有しており、このデジタル−アナログ変換処理部１５には、デジタルデータ変換処理部１４から出力された汎用デジタル音声データが入力されるようになっている。
【００４３】
デジタル−アナログ変換処理部１５は、汎用デジタル音声データが入力されると、この入力された汎用デジタル音声データをアナログ音声データに変換するデジタル−アナログ変換処理を行って、当該アナログ音声データを、アナログ信号によってスピーカ５に送信するようになっている。
【００４４】
スピーカ５は、デジタル−アナログ変換処理部１５から送信されたアナログ音声データを音圧に変換して音声出力するようになっている。
【００４５】
このような基本的な構成に加えて、さらに、本実施形態において、オーディオセンタユニット１２は、音声の再生速度を、デジタルデータ変換処理部１４に所定時間ごとに入力される専用デジタル音声データのデータ量とデジタルデータ変換処理部１４から前記所定時間ごとに出力される汎用デジタル音声データのデータ量との差分（以下、本実施形態において、専用−汎用データ量差分と称する）の発生を防止するような再生速度に制御するように形成されている。なお、前記所定時間は、単位時間：１秒であってもよい。
【００４６】
さらに、本実施形態において、オーディオセンタユニット１２は、デジタルデータ変換処理部１４から出力される汎用デジタル音声データの出力レートの制御によって、専用−汎用データ量差分の発生を防止するための再生速度の制御を行うようになっている。
【００４７】
すなわち、図１に示すように、デジタルデータ変換処理部１４は、出力レート制御手段としての出力レート制御部１６を有しており、この出力レート制御部１６は、デジタルデータ変換処理部１４から出力される汎用デジタル音声データの出力レートを、専用−汎用データ量差分の発生を防止するような出力レートに制御するようになっている。なお、出力レートは、デジタルデータ変換処理部１４から所定時間ごとに出力される汎用デジタル音声データのデータ量と同義である。
【００４８】
より具体的には、出力レート制御部１６は、図２（ａ），（ｂ）に示すように、デジタルデータ変換処理部１４から所定時間ごとに出力される汎用デジタル音声データのデータ量に対して、デジタルデータ変換処理部１４に所定時間ごとに入力される専用デジタル音声データのデータ量が過多となると予測した場合には、図２（ｃ）に示すように、出力レートを上げる制御を行うようになっている。これにより、出力レートの制御を行わない場合には余剰データとなる専用デジタル音声データのパケット８に対応する汎用デジタル音声データのパケット９を宛うことができ、専用−汎用データ量差分の発生を防止することができる。
【００４９】
一方、出力レート制御部１６は、図３（ａ），（ｂ）に示すように、デジタルデータ変換処理部１４から所定時間ごとに出力される汎用デジタル音声データのデータ量に対して、デジタルデータ変換処理部１４に所定時間ごとに入力される専用デジタル音声データのデータ量が不足すると予測した場合には、図３（ｃ）に示すように、出力レートを下げる制御を行うようになっている。これにより、出力レートの制御を行わない場合に生じるデータの欠如（図３（ｂ）における欠如データ）を未然に回避することができ、専用−汎用データ量差分の発生を防止することができる。
【００５０】
なお、図２、図３におけるデータ量の過不足の予測は、図４に示すような専用デジタル音声データを一時的に保管するバッファ１７をデジタルデータ変換処理部１４の内部または外部に用意し、このバッファ１７にバッファリングされている専用デジタル音声データのデータ量を監視することによって行うようにしてもよい。この場合には、例えば、バッファ１７にバッファリングされている専用デジタル音声データのデータ量が、所定の上限許容値を上回る場合には、図２に示したような専用デジタル音声データの過多状態が生じると予測し、一方、バッファリングされている専用デジタル音声データのデータ量が、所定の下限許容値を下回る場合には、図３に示したような専用デジタル音声データの不足状態が生じると予測するようにしてもよい。
【００５１】
出力レートのより具体的な制御方法として、出力レート制御部１６は、図５に示す第１の制御方法、図６に示す第２の制御方法または図７に示す第３の制御方法を用いるようにしてもよい。
【００５２】
すなわち、第１の制御方法においては、出力レートの制御を開始した後に、図５のステップ１（ＳＴ１）において、現在の出力レートＲ（ｂｐｓ）に、この現在の出力レートＲによってデジタルデータ変換処理部１４から単位時間あたりに出力される汎用デジタル音声データのデータ量Ａに対するデジタルデータ変換処理部１４に単位時間あたりに入力される専用デジタル音声データのデータ量Ｂの割合（Ｂ／Ａ）を乗じる演算を行う。
【００５３】
そして、この演算によって算出された出力レートＲ’を汎用デジタル音声データの新たな出力レートとして設定する。
【００５４】
第２の制御方法においては、出力レートの制御を開始した後に、図６のステップ１１（ＳＴ１１）において、現在の出力レートＲによってデジタルデータ変換処理部１４から単位時間あたりに出力される汎用デジタル音声データのデータ量Ａが、デジタルデータ変換処理部１４に単位時間あたりに入力される専用デジタル音声データのデータ量Ｂと等しいか否かを判定する。
【００５５】
そして、ステップ１１（ＳＴ１１）の判定の結果、ＡがＢと等しい場合には、ステップ１２（ＳＴ１２）に進み、このステップ１２（ＳＴ１２）において、現在の出力レートＲを汎用デジタル音声データの出力レートＲ’として再設定する。
【００５６】
一方、ステップ１１（ＳＴ１１）の判定の結果、ＡがＢと等しくない場合には、ステップ１３（ＳＴ１３）に進み、このステップ１３（ＳＴ１３）において、ＢがＡよりも大きいか否かを判定する。
【００５７】
そして、ステップ１３（ＳＴ１３）の判定の結果、ＢがＡよりも大きい場合には、ステップ１４（ＳＴ１４）に進み、このステップ１４（ＳＴ１４）において、現在の出力レートＲからオーディオセンタユニット１２が設定可能な所定のレートｒ（例えば、１ｂｐｓ）を減じる演算を行う。そして、この演算によって算出された出力レートＲ−ｒを、続くステップ１２（ＳＴ１２）において汎用デジタル音声データの新たな出力レートＲ’として設定する。
【００５８】
一方、ステップ１３（ＳＴ１３）の判定の結果、ＢがＡよりも小さい場合には、ステップ１５（ＳＴ１５）に進み、このステップ１５（ＳＴ１５）において、現在の出力レートＲに、オーディオセンタユニット１２が設定可能な所定のレートｒを加える演算を行う。そして、この演算によって算出された出力レートＲ＋ｒを、続くステップ１２（ＳＴ１２）において汎用デジタル音声データの新たな出力レートＲ’として設定する。
【００５９】
第３の制御方法においては、出力レートの制御を開始した後に、図７のステップ２１（ＳＴ２１）において、現在の出力レートＲによってデジタルデータ変換処理部１４から単位時間あたりに出力される汎用デジタル音声データのデータ量Ａが、バッファ１７にバッファリングされる専用デジタル音声データのデータ量の下限許容値Ｃ以上かつ上限許容値Ｄ以下であるか否かを判定する。
【００６０】
そして、ステップ２１（ＳＴ２１）の判定の結果、ＡがＣ以上かつＤ以下の場合には、ステップ２２（ＳＴ２２）に進み、このステップ２２（ＳＴ２２）において、現在の出力レートＲを汎用デジタル音声データの出力レートＲ’として再設定する。
【００６１】
一方、ステップ２１（ＳＴ２１）の判定の結果、ＡがＣ以上かつＤ以下でない場合には、ステップ２３（ＳＴ２３）に進み、このステップ２３（ＳＴ２３）において、ＡがＣよりも小さいか否かを判定する。
【００６２】
そして、ステップ２３（ＳＴ２３）の判定の結果、ＡがＣよりも小さい場合には、ステップ２４（ＳＴ２４）に進み、このステップ２４（ＳＴ２４）において、現在の出力レートＲからオーディオセンタユニット１２が設定可能な所定のレートｒを減じる演算を行う。そして、この演算によって算出された出力レートＲ−ｒを、続くステップ２２（ＳＴ２２）において汎用デジタル音声データの新たな出力レートＲ’として設定する。
【００６３】
一方、ステップ２３（ＳＴ２３）の判定の結果、ＡがＣよりも小さくない場合、換言すれば、ＡがＤよりも大きい場合には、ステップ２５（ＳＴ２５）に進み、このステップ２５（ＳＴ２５）において、現在の出力レートＲに、オーディオセンタユニット１２が設定可能な所定のレートｒを加える演算を行う。そして、この演算によって算出された出力レートＲ＋ｒを、続くステップ２２（ＳＴ２２）において汎用デジタル音声データの新たな出力レートＲ’として設定する。
【００６４】
なお、本実施形態において、デジタル−アナログ変換処理部１５は、汎用デジタル音声データの出力レートに相当するサンプリング周波数の処理周波数で、デジタル−アナログ変換処理を行うようになっている。換言すれば、本実施形態において、デジタル−アナログ変換処理部１５の処理周波数は、汎用デジタル音声データの出力レートに依存する従動的なものであり、デジタル−アナログ変換処理部１５の処理周波数に対する出力レートに依存しない特別な制御は行われていない。
【００６５】
次に、本実施形態における音声再生装置１１の動作について図８を参照して説明する。
【００６６】
（携帯音楽プレイヤの動作）
携帯音楽プレイヤ２は、まず、システムを起動された後に、図８のステップ３１（ＳＴ３１）において種々の初期設定を行う。
【００６７】
次いで、ステップ３２（ＳＴ３２）において、携帯音楽プレイヤ２は、専用デジタル音声データをデジタル信号によってオーディオセンタユニット１２に送信して動作を終了する。
【００６８】
（オーディオセンタユニットの動作）
オーディオセンタユニット１２は、システムを起動された後に、図８のステップ４１（ＳＴ４１）において、出力レート制御部１６により、デジタルデータ変換処理部１４における汎用デジタル音声データの出力レートＲの初期設定を行う。
【００６９】
次いで、ステップ４２（ＳＴ４２）において、オーディオセンタユニット１２は、携帯音楽プレイヤ２から送信された専用デジタル音声データを受信し、受信した専用デジタル音声データをデジタルデータ変換処理部１４に入力する。
【００７０】
次いで、ステップ４３（ＳＴ４３）において、オーディオセンタユニット１２は、デジタルデータ変換処理部１４により、専用−汎用変換処理を行って、汎用デジタル音声データをデジタル−アナログ変換処理部１５に出力する。このとき、出力レート制御部１６によって、デジタルデータ変換処理部１４からの汎用デジタル音声データの出力レートを、専用−汎用データ量差分の発生を防止するような出力レートに制御する。
【００７１】
次いで、ステップ４４（ＳＴ４４）において、オーディオセンタユニット１２は、デジタル−アナログ変換処理部１５により、汎用デジタル音声データの出力レートに相当する処理周波数（サンプリング周波数）によってデジタル−アナログ変換処理を行う。
【００７２】
次いで、ステップ４５（ＳＴ４５）において、オーディオセンタユニット１２は、デジタル−アナログ変換処理部１５により、デジタル−アナログ変換処理によって生成されたアナログ音声データをスピーカ５に送信して動作を終了する。
【００７３】
（スピーカの動作）
スピーカ５は、図８のステップ５１（ＳＴ５１）において、オーディオセンタユニット１２から送信されたアナログ音声データを受信する。
【００７４】
次いで、スピーカ５は、ステップ５２（ＳＴ５２）において、受信されたアナログ音声データ（電気信号）を音圧に変換する。
【００７５】
次いで、スピーカ５は、ステップ５３（ＳＴ５３）において、音圧を出力（音声出力）することによって、音声を再生する。このとき、汎用デジタル音声データの出力レートが、専用−汎用データ量差分の発生を防止する好適な出力レートに制御されていることによって、音切れ等の再生不良の少ない高音質な音声を再生することができる。
【００７６】
［第２実施形態］
次いで、音声再生装置の第２実施形態について、図９および図１０を参照して説明する。
【００７７】
なお、第１実施形態と基本的構成が同一もしくはこれに類する箇所については、同一の符号を用いて説明する。
【００７８】
本実施形態における音声再生装置２０は、基本的な構成は第１実施形態と同様である。
【００７９】
ただし、本実施形態におけるオーディオセンタユニット２１は、第１実施形態とは異なり、音声の再生速度を、デジタルデータ変換処理部２２に所定時間ごとに入力される専用デジタル音声データのデータ量とデジタルデータ変換処理部２２から前記所定時間ごとに出力される汎用デジタル音声データのデータ量との差分（以下、本実施形態において、専用−汎用データ量差分と称する）を事後的に解消するような再生速度に制御するように形成されている。なお、前記所定時間は、単位時間：１秒であってもよい。
【００８０】
さらに、本実施形態において、オーディオセンタユニット２１は、デジタル−アナログ変換処理部２３によるデジタル−アナログ変換処理の処理周波数の制御によって、専用−汎用データ量差分を解消するための再生速度の制御を行うようになっている。
【００８１】
すなわち、図９に示すように、デジタル−アナログ変換処理部２３は、第１実施形態における出力レート制御部１６の代わりに、処理周波数制御手段としての処理周波数制御部２５を有している。
【００８２】
この処理周波数制御部２５は、デジタル−アナログ変換処理部２３に対して、デジタル−アナログ変換処理の処理周波数を専用−汎用データ量差分を解消することができる処理周波数に制御するための制御信号を出力することによって、処理周波数を制御するようになっている。
【００８３】
具体的には、処理周波数制御部２５は、デジタルデータ変換処理部２２から所定時間ごとに出力される汎用デジタル音声データのデータ量に対して、デジタルデータ変換処理部２２に所定時間ごとに入力される専用デジタル音声データのデータ量が過多となる場合（図２（ａ），（ｂ）参照）には、デジタル−アナログ変換処理の処理周波数（サンプリング周波数）を上げる制御を行うようになっている。
【００８４】
一方、処理周波数制御部２５は、デジタルデータ変換処理部２２から所定時間ごとに出力される汎用デジタル音声データのデータ量に対して、デジタルデータ変換処理部２２に所定時間ごとに入力される専用デジタル音声データのデータ量が不足する場合（図３（ａ），（ｂ）参照）には、デジタルデータ変換処理の処理周波数を下げる制御を行うようになっている。
【００８５】
なお、本実施形態においては、第１実施形態のような汎用デジタル音声データの出力レートに対する特別な制御は行われていない。
【００８６】
次に、本実施形態における音声再生装置２０の動作について図１０を参照して説明する。
【００８７】
（携帯音楽プレイヤの動作）
携帯音楽プレイヤ２の動作は、第１実施形態と同様である。すなわち、携帯音楽プレイヤ２は、まず、システムを起動された後に、図１０のステップ６１（ＳＴ６１）において種々の初期設定を行い、次いで、ステップ６２（ＳＴ６２）において、専用デジタル音声データをデジタル信号によってオーディオセンタユニット２１に送信して動作を終了する。
【００８８】
（オーディオセンタユニットの動作）
オーディオセンタユニット２１は、システムを起動された後に、図１０のステップ７１（ＳＴ７１）において、処理周波数制御部２５により、デジタル−アナログ変換処理部２３におけるデジタルデータ変換処理の処理周波数の初期設定を行う。
【００８９】
次いで、ステップ７２（ＳＴ７２）において、オーディオセンタユニット２１は、携帯音楽プレイヤ２から送信された専用デジタル音声データを受信し、受信した専用デジタル音声データをデジタルデータ変換処理部２２に入力する。
【００９０】
次いで、ステップ７３（ＳＴ７３）において、オーディオセンタユニット２１は、デジタルデータ変換処理部２２により、専用−汎用変換処理を行って、汎用デジタル音声データをデジタル−アナログ変換処理部２３に出力する。
【００９１】
次いで、ステップ７４（ＳＴ７４）において、オーディオセンタユニット２１は、処理周波数制御部２５により、専用−汎用データ量差分を解消するようなデジタルデータ変換処理の処理周波数を決定し、決定された処理周波数に対応する制御信号を、デジタル−アナログ変換処理部２３に出力する。
【００９２】
次いで、ステップ７５（ＳＴ７５）において、オーディオセンタユニット２１は、デジタル−アナログ変換処理部２３により、ステップ７４（ＳＴ７４）において出力された制御信号に対応する処理周波数（サンプリング周波数）によって、デジタル−アナログ変換処理を行う。
【００９３】
次いで、ステップ７６（ＳＴ７６）において、オーディオセンタユニット２１は、デジタル−アナログ変換処理部２３により、デジタル−アナログ変換処理によって生成されたアナログ音声データをスピーカ５に送信して動作を終了する。
（スピーカの動作）
スピーカ５は、図１０のステップ８１（ＳＴ８１）において、オーディオセンタユニット２１から送信されたアナログ音声データを受信する。
【００９４】
次いで、スピーカ５は、ステップ８２（ＳＴ８２）において、受信したアナログ音声データ（電気信号）を音圧に変換する。
【００９５】
次いで、スピーカ５は、ステップ８３（ＳＴ８３）において、音圧を出力（音声出力）することによって、音声を再生する。このとき、デジタル−アナログ変換処理の処理周波数が、専用−汎用データ量差分を解消する好適な処理周波数に制御されていることによって、音切れ等の再生不良の少ない高音質な音声を再生することができる。
【００９６】
以上述べたように、本発明によれば、汎用デジタル音声データの出力レートまたはデジタル−アナログ変換処理の処理周波数の制御による音声の再生速度の制御によって、専用−汎用データ量差分の発生を防止すること、または、発生した専用−汎用データ量差分を解消することが可能となる。
【００９７】
この結果、携帯音楽プレイヤ２から送信された専用デジタル音声データを、オーディオセンタユニット１２，２１において汎用デジタル音声データに変換する際に、データの余剰や欠如の発生を防止して汎用デジタル音声データのアナログ音声データへの変換を適切に行うことができ、音質に優れた音声の再生を実現することができる。
【００９８】
なお、本発明は、前述した実施の形態に限定されるものではなく、必要に応じて種々の変更が可能である。
【００９９】
例えば、本発明を車載機以外の音声再生装置に適用した場合においても、前述した実施形態と同様の優れた効果を奏することができることは勿論である。
【０１００】
また、必要に応じて汎用デジタル音声データに対するデータの削除および補完を行うようにしてもよい。
【図面の簡単な説明】
【０１０１】
【図１】本発明に係る音声再生装置の第１実施形態を示すブロック図
【図２】本発明に係る音声再生装置の第１実施形態において、出力レートが制御された汎用デジタル音声データと、専用デジタル音声データとの関係を示すタイムチャート
【図３】本発明に係る音声再生装置の第１実施形態において出力レートの制御に用いる専用デジタル音声データの監視方法の一例を模式的に示す説明図
【図４】本発明に係る音声再生装置の第１実施形態において、データ量の過不足の予測方法の一例を示す説明図
【図５】本発明に係る音声再生装置の第１実施形態において、出力レートの第１の制御方法を示すフローチャート
【図６】本発明に係る音声再生装置の第１実施形態において、出力レートの第２の制御方法を示すフローチャート
【図７】本発明に係る音声再生装置の第１実施形態において、出力レートの第３の制御方法を示すフローチャート
【図８】本発明に係る音声再生装置の第１実施形態を示すフローチャート
【図９】本発明に係る音声再生装置の第２実施形態を示すブロック図
【図１０】本発明に係る音声再生装置の第２実施形態を示すフローチャート
【図１１】従来の音声再生装置の一例を示すブロック図
【図１２】従来の音声再生装置において、汎用デジタル音声データと専用デジタル音声データとの関係を示すタイムチャート
【符号の説明】
【０１０２】
２  携帯音楽プレイヤ
５  スピーカ
１１，２０  音声再生装置
１２，２１  オーディオセンタユニット
１４，２２  デジタルデータ変換処理部
１５，２３  デジタル−アナログ変換処理部
１６  出力レート制御部
２５  処理周波数制御部
【図１】
2008051862.tif 000003
【図２】
2008051862.tif 000004
【図３】
2008051862.tif 000005
【図４】
2008051862.tif 000006
【図５】
2008051862.tif 000007
【図６】
2008051862.tif 000008
【図７】
2008051862.tif 000009
【図８】
2008051862.tif 000010
【図９】
2008051862.tif 000011
【図１０】
2008051862.tif 000012
【図１１】
2008051862.tif 000013
【図１２】
2008051862.tif 000014